(57)【要約】【課題】所望の区画部材取付部をその強度にかかわらず上端部に設けることができる区画部材取付杭を提供する。【解決手段】下部側が地盤に埋設され、上端部に領域を区画する区画部材を着脱可能な区画部材取付杭１において、下部側が地盤に埋設される棒状の杭本体３と、杭本体３の上端部３ａに設けられて区画部材を着脱可能な区画部材取付部４と、杭本体３の区画部材取付部４よりも下側に設けられて杭本体３から側方に突出する突出部５と、を有し、杭本体３の突出部５よりも下側が地盤に埋設されるように構成されている。【選択図】図２
0003212962.tif 000002
【実用新案登録請求の範囲】
【請求項１】
下部側が地盤に埋設され、上端部に領域を区画する区画部材を着脱可能な区画部材取付杭において、
前記下部側が前記地盤に埋設される棒状の杭本体と、
前記杭本体の上端部に設けられて前記区画部材を着脱可能な区画部材取付部と、
前記杭本体の前記区画部材取付部よりも下側に設けられて前記杭本体から側方に突出する突出部と、を有し、
前記杭本体の前記突出部よりも下側が前記地盤に埋設されるように構成されていることを特徴とする区画部材取付杭。
【請求項２】
前記杭本体は、下側杭本体部と、前記下側杭本体部の上部に着脱可能な上側杭本体部と、を有し、
前記下側杭本体部には、前記突出部が設けられていて、
前記上側杭本体部は、前記区画部材取付部が設けられていることを特徴とする請求項１に記載の区画部材取付杭。
【請求項３】
前記下側杭本体部および前記上側杭本体部のいずれか一方の杭本体部における他方の杭本体部と対向する端部には、前記他方の杭本体部に向かって開口する凹部が形成され、
前記他方の杭本体部における前記一方の杭本体部と対向する端部は、前記凹部に挿入されて係止されるように構成されていることを特徴とする請求項２に記載の区画部材取付杭。
【請求項４】
前記下側杭本体部および前記上側杭本体部のいずれか一方の杭本体部における他方の杭本体部と対向する端部と、前記他方の杭本体部における前記一方の杭本体部と対向する端部とは、螺合可能に構成されていることを特徴とする請求項２に記載の区画部材取付杭。
【請求項５】
前記区画部材取付部は、磁性体で形成されていることを特徴とする請求項１乃至４のいずれか一項に記載の区画部材取付杭。
【請求項６】
前記区画部材取付部は、前記区画部材を引っ掛けることが可能なフック部を有していることを特徴とする請求項１乃至５のいずれか一項に記載の区画部材取付杭。
【請求項７】
前記突出部は、前記杭本体に着脱可能に設けられていることを特徴とする請求項１乃至６のいずれか一項に記載の区画部材取付杭。
【考案の詳細な説明】
【技術分野】
【０００１】
本考案は、下部側が地盤に埋設され、上端部にロープやパーティションベルトなどの区画部材を着脱可能な区画部材取付杭に関する。
【背景技術】
【０００２】
従来、領域を区画する際に、区画の境界部分に沿って複数の杭をそれらの下部側が地盤に埋設されるように打ち込み、これらの複数の杭の上部にロープを架け渡してロープの一方側の領域と他方側の領域とを区画することが行われている（例えば、特許文献１参照）。
このような杭には、鉄筋、鋼棒、鋼管などが用いられている。杭を地盤に打ち込む際には、杭の上端部を作業者がハンマーなどでたたいている。
【先行技術文献】
【特許文献】
【０００３】
【特許文献１】特開平６−３４６６３７号公報
【考案の概要】
【考案が解決しようとする課題】
【０００４】
杭の上端部は、ハンマーでたたかれても変形しない強度が必要となる。このため、杭の上端部にロープやパーティションベルトなどの区画部材を着脱するための区画部材取付部を設けようとしても、区画部材取付部がハンマーでたたかれても変形しない強度を有していないと設けることができないことがある。
【０００５】
そこで、本考案は、所望の区画部材取付部をその強度にかかわらず上端部に設けることができる区画部材取付杭を提供することを目的とする。
【課題を解決するための手段】
【０００６】
上記目的を達成するため、本考案に係る区画部材取付杭は、下部側が地盤に埋設され、上端部に領域を区画する区画部材を着脱可能な区画部材取付杭において、前記下部側が前記地盤に埋設される棒状の杭本体と、前記杭本体の上端部に設けられて前記区画部材を着脱可能な区画部材取付部と、前記杭本体の前記区画部材取付部よりも下側に設けられて前記杭本体から側方に突出する突出部と、を有し、前記杭本体の前記突出部よりも下側が前記地盤に埋設されるように構成されていることを特徴とする。
【０００７】
本考案に係る区画部材取付杭は、杭本体から側方に突出するように設けられた突出部を有している。これにより、杭本体の下部側（区画部材取付杭の下部側）を地盤に埋設する際に、突出部を上側からハンマーなどでたたくことで、杭本体の下部側を地盤に埋設することができる。
このように、本考案に係る区画部材取付杭では、杭本体の上端部に設けられた区画部材取付部をハンマーなどでたたくことなく杭本体を地盤に埋設することができるため、所望の区画部材取付部をその強度にかかわらず杭本体の上端部に設けることができる。
【０００８】
また、本考案に係る区画部材取付杭では、前記杭本体は、下側杭本体部と、前記下側杭本体部の上部に着脱可能な上側杭本体部と、を有し、前記下側杭本体部には、前記突出部が設けられていて、前記上側杭本体部は、前記区画部材取付部が設けられていてもよい。
このような構成とすることにより、下側杭本体部を地盤に埋設した後に、上側杭本体部を下側杭本体部に連結することで、区画部材取付杭を地盤に設置することができる。このように、下側杭本体部を地盤に埋設する際には、上側杭本体部が下側杭本体部に連結されていないことにより、下側杭本体部の突出部をハンマーなどでたたく衝撃が上側杭本体部および区画部材取付部に伝達しない。このため、下側杭本体部の突出部をハンマーなどでたたく衝撃による上側杭本体部および区画部材取付部の損傷を防止することができる。
【０００９】
また、本考案に係る区画部材取付杭では、前記下側杭本体部および前記上側杭本体部のいずれか一方の杭本体部における他方の杭本体部と対向する端部には、前記他方の杭本体部に向かって開口する凹部が形成され、前記他方の杭本体部における前記一方の杭本体部と対向する端部は、前記凹部に挿入されて係止されるように構成されていてもよい。
このような構成とすることにより、下側杭本体部および上側杭本体部のいずれか一方の杭本体部の凹部に他方の杭本体部の端部を挿入させて係止させることで、上側杭本体部下側杭本体部に容易に連結させることができる。
【００１０】
また、本考案に係る区画部材取付杭では、前記下側杭本体部および前記上側杭本体部のいずれか一方の杭本体部における他方の杭本体部と対向する端部と、前記他方の杭本体部における前記一方の杭本体部と対向する端部とは、螺合可能に構成されていてもよい。
このような構成とすることにより、下側杭本体部および上側杭本体部のいずれか一方の杭本体部の端部と、他方の杭本体部の端部とを螺合させることで、上側杭本体部を下側杭本体部に容易に連結させることができる。
【００１１】
また、本考案に係る区画部材取付杭では、前記区画部材取付部は、磁性体で形成されていてもよい。
このような構成とすることにより、マグネットで取り付けする形態の区画部材を区画部材取付部に取り付けることができる。
【００１２】
また、本考案に係る区画部材取付杭では、前記区画部材取付部は、前記区画部材を引っ掛けることが可能なフック部を有していてもよい。
このような構成とすることにより、区画部材取付部にロープやチェーンなどの区画部材を容易に引っ掛けることができる。
【００１３】
また、本考案に係る区画部材取付杭では、前記突出部は、前記杭本体に着脱可能に設けられていてもよい。
このような構成とすることにより、杭本体を地盤に打ち込む際には、杭本体に突出部を取り付けた状態として、突出部をハンマーでたたいて杭本体を地盤に打ち込み、杭本体が地盤に打ち込まれた後や、杭本体を保管する際には、杭本体から突出部を取り外した状態とすることができる。このため、杭本体を地盤に打ち込むとき以外に突出部が人や物と干渉することを防止できる。
【考案の効果】
【００１４】
本考案によれば、所望の区画部材取付部をその強度にかかわらず上端部に設けることができる。
【図面の簡単な説明】
【００１５】
【図１】本考案の実施形態による区画部材取付杭の使用時の一例を示す図である。
【図２】本考案の実施形態による区画部材取付杭の一例を示す図である。
【図３】下側杭本体部部と上側杭本体部部との連結部分を説明する図である。
【図４】運搬時の区画部材取付杭を説明する図である。
【図５】側杭本体部と上側杭本体部部との連結部分の他の形態を説明する図である。
【考案を実施するための形態】
【００１６】
以下、本考案の実施形態による区画部材取付杭について、図１乃至図４に基づいて説明する。
図１に示すように、本実施形態による区画部材取付杭１は、点検や修理などを行う設備が設けられた領域や、工事現場などで、点検や修理、工事などを行う領域を区画するために用いられている。
区画部材取付杭１は、上下方向に延びる向きで使用される。以下の説明では、区画部材取付杭１は、上下方向に延びる使用時の姿勢であるものとする。
区画部材取付杭１は、区画の境界部分に沿って間隔をあけて複数配列され、それぞれの上端部に、ロープやパーティションベルトなどの区画部材２を架け渡すように取り付け可能に構成されている。本実施形態による区画部材取付杭１は、点検や修理、工事などを行う際に下部側が地盤１１に埋設された状態で使用され、不使用時には地盤１１から抜き取られて保管されるように構成されている。
【００１７】
図２に示すように、区画部材取付杭１は、上下方向に延びる向きで使用される棒状の杭本体３と、杭本体３の上端部３ａに設けられて区画部材２を着脱可能な区画部材取付部４と、杭本体３の区画部材取付部４よりも下側に設けられて杭本体３から側方に突出する突出部５と、を有している。
杭本体３は、下側に配置される下側杭本体部３１と、下側杭本体部３１の上側に着脱可能な上側杭本体部３２と、を有している。
【００１８】
下側杭本体部３１は、下部側に設けられ地盤１１に埋設される埋設部３３と、埋設部３３の上側に設けられ地盤１１上に配置される地盤上配置部３４と、地盤上配置部３４の上端部３４ａよりもやや下側に設けられ地盤上配置部３４から側方に突出し上側杭本体部３２の切欠き部３７と係合する係合凸部３５と、を有している。
埋設部３３は、丸棒状の鋼棒などで形成され、下端部３３ａが尖った形状に形成されている。
地盤上配置部３４は、埋設部３３よりも径の大きい丸棒状の鋼棒などで形成されている。埋設部３３と地盤上配置部３４とは、同軸に連結されている。
図３に示すように、係合凸部３５は、地盤上配置部３４の軸線を介して対向するように２つ配置されている。
【００１９】
上側杭本体部３２は、地盤上配置部３４よりも径の大きい丸棒状の鋼棒などで形成されている。図３に示すように、上側杭本体部３２は、下端部３２ｂの近傍が筒状に形成されていて、下側に開口する凹部３６が形成されている。凹部３６には、地盤上配置部３４の上端部３４ａ（下側杭本体部３１の上端部３１ａ）が挿入可能に構成されている。
上側杭本体部３２の下端部３２ｂの近傍には、凹部３６の内部と外部とを径方向（上側杭本体部３２の軸線に直交する方向）に連通させる切欠き部３７が形成されている。
【００２０】
切欠き部３７は、上側杭本体部３２の下端部３２ｂから上側に延びる第１切欠き部３７１と、第１切欠き部３７１の上部側から周方向（上側杭本体部３２の軸線を中心に回る方向）の一方側に延びる第２切欠き部３７２と、を有している。切欠き部３７は、略Ｌ字形状に形成されている。上側杭本体部３２には、上側杭本体部３２の軸線を介して対向するように２つの切欠き部３７が形成されている。
【００２１】
切欠き部３７は、上側杭本体部３２の凹部３６に下側杭本体部３１の上端部３１ａを挿入する際に、下側杭本体部３１の係合凸部３５を下側から挿入させるように構成されている。
第１切欠き部３７１は、係合凸部３５を下側から挿入して上下方向に移動させることが可能なように、下側に開口しているとともに、周方向の寸法が係合凸部３５の周方向の寸法よりもやや大きく形成されている。
第２切欠き部３７２は、係合凸部３５を周方向に移動させることが可能なように、上下方向の寸法が係合凸部３５の上下方向の寸法よりもやや大きく形成されている。
【００２２】
上側杭本体部３２の凹部３６に下側杭本体部３１の上端部３１ａが挿入され、係合凸部３５が切欠き部３７に挿入されると、係合凸部３５の先端は、上側杭本体部３２の外周面よりも外側に突出するように構成されている。
下側杭本体部３１の係合凸部３５が上側杭本体部３２の第２切欠き部３７２に配置されると、上下方向の移動が規制されるため、上側杭本体部３２が下側杭本体部３１のから外れることが防止される。
【００２３】
図２に戻り、区画部材取付部４は、スチールなどの磁性体で形成されている。区画部材取付部４は、平板状に形成され、板面が上側杭本体部３２の軸線に直交する方向を向く姿勢で上側杭本体部３２の上端部３２ａ（杭本体３の上端部３ａ）に連結されている。
区画部材取付部４は、上部側に、ロープやチェーンなどを引っ掛けることが可能なフック部４１が形成されている。本実施形態では、２つのフック部４１が間隔をあけて配置されている。２つのフック部４１の間には、ロープやチェーンなどを通すことが可能な空部４２が構成されている。
【００２４】
区画部材２が取付対象物に対してマグネットで取り付ける形態のパーティションベルトの場合には、区画部材取付部４にパーティションベルトのマグネット部分を吸着させることで、区画部材２を区画部材取付部４に取り付けることができる。
区画部材２がロープやチェーンなどの場合には、フック部４１にロープやチェーンなどを引っ掛けたり、フック部４１の間の空部４２にロープやチェーンなどを通したりすることで区画部材２を区画部材取付部４に取り付けることができる。
【００２５】
突出部５は、下側杭本体部３１の地盤上配置部３４から側方（下側杭本体部３１の軸線に直交する方向）に突出するように設けられている。本実施形態では、突出部５は、上下方向に延びる円柱状に形成され、突出部５の上端面５ａが平坦面に形成されている。突出部５は、下側杭本体部３１に固定されている。
突出部５は、下側杭本体部３１の埋設部３３を地盤１１に打ち込む際に、上端面５ａがハンマーなどでたたかれるように構成されている。ハンマーなどでたたかれることによって突出部５に加えられた荷重は、下側杭本体部３１に伝達するように構成されている。
【００２６】
続いて、区画部材取付杭１を用いた領域の区画方法について説明する。
まず、複数の区画部材取付杭１を区画の境界部に沿って間隔をあけて配列する。
区画部材取付杭１の下側杭本体部３１を地盤１１の上に配置し、下側杭本体部３１の埋設部３３の下端部３３ａが地盤１１面と当接、または地盤１１に少し突き刺さった状態とする。
下側杭本体部３１から突出する突出部５の上端面５ａをハンマーなどでたたいて下側杭本体部３１の埋設部３３を地盤１１に打ち込んで埋設する。
このとき、上側杭本体部３２は、下側杭本体部３１に連結されていない。
【００２７】
下側杭本体部３１の上端部３１ａを上側杭本体部３２の凹部３６に挿入する。このとき、下側杭本体部３１の２つの係合凸部３５をそれぞれ上側杭本体部３２の切欠き部３７に挿入する。そして、２つの係合凸部３５それぞれが切欠き部３７の第２切欠き部３７２の周方向の一方側の端部３７２ａ（図３参照）に配置されるように上側杭本体部３２を下側杭本体部３１に対して下側に下げるとともに周方向の他方側に回す。下側杭本体部３１の係合凸部３５が上側杭本体部３２の第２切欠き部３７２に配置されると、上下方向の移動が規制されるため、上側杭本体部３２が下側杭本体部３１のから外れることが防止される。これにより、上側杭本体部３２が下側杭本体部３１の上側に連結される。
このようにして、区画部材取付杭１が地盤１１に設置される。
【００２８】
複数の区画部材取付杭１それぞれを上記のように地盤１１に設置したら、隣り合う区画部材取付杭１の区画部材取付部４に区画部材２を渡すようにして取り付ける。
区画部材２が、取付対象物に対してマグネットで取り付けるパーティションベルトの場合には、区画部材取付部４にパーティションベルトのマグネット部分を吸着させて、区画部材２を区画部材取付部４に取り付ける。
区画部材２が、ロープやチェーンの場合には、フック部４１にロープやチェーンを引っ掛けたり、フック部４１の間の空部４２にロープやチェーンを通したりして区画部材２を区画部材取付部４に取り付ける。
複数の区画部材取付杭１それぞれに区画部材２を連続して取り付けることで、区画部材２の一方側と他方側とが区画される。
【００２９】
なお、区画部材取付杭１は、区画が不要となった際には、下側杭本体部３１から上側杭本体部３２を取り外し、下側杭本体部３１を地盤１１から引き抜くことで地盤１１から撤去することができる。区画部材取付杭１は、運搬時や保管時には、図４に示すように下側杭本体部３１と上側杭本体部３２とをばらした状態で袋体６に収容することで、運搬や保管が容易となる。
【００３０】
次に、上述した本考案の実施形態による区画部材取付杭の作用・効果について図面を用いて説明する。
本考案の実施形態による区画部材取付杭１では、杭本体３から側方に突出するように設けられた突出部５を有している。これにより、杭本体３の下部側（区画部材取付杭１の下部側）を地盤１１に埋設する際に、突出部５を上側からハンマーなどでたたくことで、杭本体３の下部側を地盤１１に埋設することができる。
このように、区画部材取付杭１では、杭本体３の上端部３ａに設けられた区画部材取付部４をハンマーなどでたたくことなく杭本体３を地盤１１に埋設することができるため、所望の区画部材取付部４をその強度にかかわらず杭本体３の上端部３ａに設けることができる。
【００３１】
また、杭本体３は、着脱可能な下側杭本体部３１と、上側杭本体部３２と、を有し、下側杭本体部３１には、突出部５が設けられていて、上側杭本体部３２は、区画部材取付部４が設けられている。これにより、下側杭本体部３１を地盤１１に埋設した後に、上側杭本体部３２を下側杭本体部３１に連結することで、区画部材取付杭１を地盤１１に設置することができる。
このように、下側杭本体部３１を地盤１１に埋設する際には、上側杭本体部３２が下側杭本体部３１に連結されていないことにより、下側杭本体部３１の突出部５をハンマーなどでたたく衝撃が上側杭本体部３２および区画部材取付部４に伝達しない。このため、下側杭本体部３１の突出部５をハンマーなどでたたく衝撃による上側杭本体部３２および区画部材取付部４の損傷を防止することができる。
【００３２】
また、上側杭本体部３２には、下側に開口する凹部３６が形成され、下側杭本体部３１の上端部３１ａは、凹部３６に挿入可能に構成されている。これにより、上側杭本体部３２の凹部３６に下側杭本体部３１の上端部３１ａを挿入させることで、上側杭本体部３２を下側杭本体部３１に容易に連結させることができる。
【００３３】
また、区画部材取付部４は、磁性体で形成されていることにより、マグネットで取り付けする形態の区画部材２を区画部材取付部４に取り付けることができる。
また、区画部材取付部４は、区画部材２を引っ掛けることが可能な２つのフック部４１を有し、２つのフック部４１の間には空部４２が形成されている。これにより、区画部材取付部４にロープやチェーンなどの区画部材２を引っ掛けたり、空部４２にロープやチェーンなどの区画部材２を通したりすることができ、区画部材２を区画部材取付部４に容易に取り付けることができる。
【００３４】
以上、本考案による区画部材取付杭の実施形態について説明したが、本考案は上記の実施形態に限定されるものではなく、その趣旨を逸脱しない範囲で適宜変更可能である。
例えば、上記の実施形態では、杭本体３は、下側杭本体部３１および上側杭本体部３２の２つの部材が着脱可能に構成されているが、１つの部材で構成されていてもよいし、連結可能な３つ以上の部材で構成されていてもよい。
【００３５】
また、上記の実施形態では、上側杭本体部３２には、下側に開口する凹部３６が形成され、下側杭本体部３１の上端部３１ａが凹部３６に挿入されて上側杭本体部３２と下側杭本体部３１とが連結されているように構成されているが、上側杭本体部３２と下側杭本体部３１とが連結される形態は適宜設定されてよい。
例えば、図５に示すように、上側杭本体部３２の下端部３２ｂの近傍に、下に開口するネジ孔３８が形成され、下側杭本体部３１の上端部３１ａに、外周面にネジ山３９ａが形成されたネジ部３９が設けられ、下側杭本体部３１のネジ部３９が上側杭本体部３２のネジ孔３８に螺合することで上側杭本体部３２と下側杭本体部３１とが連結されるように構成されていてもよい。
【００３６】
また、上記の実施形態では、区画部材取付部４は、マグネット式のパーティションベルトを吸着可能な磁性体で形成されているが、区画部材２を着脱可能な形態であれば、磁性体で形成されていなくてもよい。
また、上記の実施形態では、区画部材取付部４は、ロープやチェーンを引っ掛け可能な２つのフック部４１を有し、２つのフック部４１の間に空部４２が形成されているが、区画部材２を着脱可能な形態であれば、フック部４１や空部４２が設けられていなくてもよい。
【００３７】
また、上記の実施形態では、突出部５は、杭本体３（下側杭本体部３１）に固定されているが、杭本体３に着脱可能に設けられていてもよい。
このような構成とすることにより、杭本体３を地盤１１に打ち込む際には、杭本体３に突出部５を取り付けた状態として、突出部５をハンマーでたたいて杭本体３を地盤１１に打ち込むことができる。そして、杭本体３が地盤１１に打ち込まれた後や、区画部材取付杭１を保管する際には、杭本体３から突出部５を取り外した状態として、突出部５が人や物と干渉することを防止できる。
【符号の説明】
【００３８】
１  区画部材取付杭
２  区画部材
３  杭本体
３ａ  上端部
４  区画部材取付部
５  突出部
１１  地盤
３１  下側杭本体部（他方の杭本体部）
３２  上側杭本体部（一方の杭本体部）
３６  凹部
３８  ネジ孔
３９ａ  ネジ山
４１  フック部
【図１】
0003212962.tif 000003
【図２】
0003212962.tif 000004
【図３】
0003212962.tif 000005
【図４】
0003212962.tif 000006
【図５】
0003212962.tif 000007